(57)【要約】【課題】  広巾シートの継ぎ合わせ等における粘着テープ等の貼り合わせにおいて、テープを蛇行させることなく一直線状に引出して左右への振れなく正確な貼り合わせを可能とする。【解決手段】  ロール状に巻かれた帯状テープを引出し展開する装置であって、下端にテープつかみ４を具備するテープ引出し杆５を保持してテープ引出し方向に往復駆動する無端ベルト１と、該無端ベルト１の下側に配設され、無端ベルト１の駆動により引き出されたテープを受取り展開する展開バー６を上面に備えた貼付台８により構成すると共に、上記展開バー６上面をテープ引出し方向に直交する断面において中高曲線状に形成し、展開バー上のテープを直線状に引出し可能とした。【選択図】          図１
0003153209.tif 000002
【実用新案登録請求の範囲】
【請求項１】
ロール状に巻かれた狭巾帯状テープを引出し、展開する装置であって、下端にテープつまみを具備するテープ引出し杆を保持して引き出し方向に往復駆動する無端ベルトと、該無端ベルトの下側に配設され、前記無端ベルトの駆動により引き出されたテープを受け取り展開する展開バーを上面に備えた貼付台からなり、展開バーは上面がテープ引き出し方向に直交する断面において中高曲線状に形成され、展開されるテープを展開バーの中央に蛇行することなく一直線状に引き出し可能であることを特徴とするテープ引出し装置。
【請求項２】
貼付台が吸着台であり、上面の展開バーがテープ吸着穴を有している請求項１記載のテープ引出し装置。
【考案の詳細な説明】
【技術分野】
【０００１】
本考案はロール状に巻かれた狭巾帯状シート、例えば粘着テープを引き出すための装置に係り、詳しくは、巾方向に切断された広巾状のシートの切断部を次のシートに粘着テープ等で貼り合わせて継ぎ足す場合に、継ぎ足されるシート継ぎ足し部に正しく粘着テープを引き出し貼り合わせるためのテープ引出し装置に関するものである。
【背景技術】
【０００２】
従来より広巾状のシートを送り出し、不良部分を除去して良品部分のみを接続するため不良部分前後のシートを巾方向にカットし、不良部分を不良品として巻取り除去し、良品部分のみを接合台部上で継ぎ足し貼りして巻取ることが行われていた（例えば特許文献１，２参照）が、継ぎ足しにあたっての接合は特に具体的に示されておらず、殆ど人手を介して行われていた。
【０００３】
一般に広巾状のシートを送り方向直角に切断し、次のシートに該切断面を粘着テープ等で貼り合わせ継ぎ足す場合には、貼り合わせる粘着テープがシート切断面に平行に正しい位置に貼り合わされる必要があるが、ロール状の巻かれた粘着テープロールからテープ先端をつかみ図３に示す如き吸着穴１２を有する上面フラットな展開バー１１上に引出し展開すると、図４（ｂ）に示す如く引き出される途中でテープが左右に振れ、次工程のシートへの貼付に皺が出たり直線ではなくなったりする。
【０００４】
ところが、近年、液晶テレビ用，リチウム電池用等のプラスチックシートは高価であり、ロスを少なく高品質が求められていることから、正確なテープ引出しが強く望まれているが、現在のところこの要望に対応するテープ引出し手段は見出されていない。
【先行技術文献】
【特許文献】
【０００５】
【特許文献１】特開２００６−３０６５０９号公報
【特許文献２】特開２００８−２３９３１６号公報
【考案の概要】
【考案が解決しようとする課題】
【０００６】
本考案は上述の如き実状に対処し、特に引き出されるテープの適切な引き出し手段を見出すことにより引き出し展開される途中における左右のテープ振れをなくして蛇行することなく一直線に引き出しを可能としてシートへの貼付に皺が出るのを阻止し、シートの正確な直線的継合を図ることを目的とするものである。
【課題を解決するための手段】
【０００７】
即ち、上記目的に適合する本考案は、ロール状に巻かれた狭巾帯状テープを引出し、展開する装置であって、下端にテープつまみを具備するテープ引出し杆を保持して引出し方向に往復駆動する無端ベルトと、該無端ベルトの下側に配設され、前記無端ベルトの駆動により引き出されたテープを受取り、展開する展開バーを上面に備えた貼付台からなり、展開バーを上面がテープ引出し方向に直交する断面において中高曲線状に形成し、展開されるテープを展開バー中央に蛇行することなく一直線に引き出し可能としたテープ引出し装置にある。なお、上記における貼付台が吸着台であり、展開バーが、テープ吸着穴を有することが好適である。
【考案の効果】
【０００８】
上記本考案装置によれば、シート引出し方向直角に切断したシート切断面を次のシートに貼り合わせて継ぎ足す場合、引き出される粘着テープが貼付台の展開バー上面の中高曲線部によって蛇行することなく一直線に保持され、引き出される途中で左右に振れ、シートへの貼付に皺がでたり、直線状に貼付されなくなったりすることがなく、正しい位置に正確なテープ貼付を行うことができる。
【図面の簡単な説明】
【０００９】
【図１】本考案に係るテープ引出し装置を示す概要図である。
【図２】本考案に係る展開バーの形状を示す縦断面図である。
【図３】一般の展開バーの形状を示す縦断面図である。
【図４】吸着台上面の展開バーにおけるシート引出し状態平面図であり、（ａ）は本考案に係る中高曲線状の場合、（ｂ）は一般の上面フラット式の場合である。
【考案を実施するための形態】
【００１０】
以下、更に添付図面に基づいて本考案の具体的形態を説明する。図１は本考案に係るテープ引出し装置を示す概要図であり、図において、１は無端ベルトで、詳しくはロール状に巻かれた狭巾帯状テープ、例えば粘着テープの巻ロール２からテープＴを案内ロール３を介して引き出すためのテープ引出し駆動用無端ベルトであり、テープ引出し用モーターＭによって左右往復駆動され、一端にテープつまみ４を下端に取り付けたテープ引出し杆５を吊下げ保持して引き出されたテープ端部を該テープつまみ４につまんで無端ベルト１の駆動により所要範囲でテープＴを引出し得るようになっている。
【００１１】
ここで、テープつまみ４はテープ引出し杆５と共に、例えばシートとシートを継ぎ合わせるため該継ぎ合わせ部に粘着テープを貼り付け得るように所要の長さ移動すればよく、無端ベルトの所定の範囲における往復駆動によって該移動が行われ、テープ貼付がなされる。勿論、継ぎ合わせの場合に限らず、一般的な貼り合わせであってもテープ引出しは同様である。一方、６は上記により引き出されるテープを受け取り、テープつまみ４の移動と共にテープをその上に所要の長さにわたり展開する展開バーであり、好ましくは前述したテープ貼り付けに伴う所要の長さを有して引き出されたテープをその上に確実に保持し得るよう貼付台８上面に配設することにより構成されている。このテープを受け取る展開バー６はその後におけるテープの貼り合わせ態様によって貼付台と共に１８０°回動し得るようにしてもよく、また９０°回動可能その他、随時貼り合わせ態様に応じて粘着テープ等が貼れ合わせ容易であるように回動し得るようにしてもよい。勿論、回動しなくてもよいことは云うまでもない。
【００１２】
なお、展開バー６を上面に配設せしめた貼付台８はバキューム機構に接続された吸着台であることが好ましく、またこれに合わせて展開バー６上面にテープ吸着穴７を設け、テープを確実に保持せしめるようにすることが好適である。
【００１３】
本考案引出し装置は上記の如きテープつまみ４を保持したテープ杆引出し杆５を備えた無端ベルト１と、引き出されたテープをその上に受取り展開する展開バー６を上面に備えた貼付台８によって構成されており、巻ロール２から巻き出されたテープＴをテープつまみ４にてつまんで無端ベルト１の駆動によりテープ引出し杆５と共に所要の範囲をもって下側の貼付台の展開バー６上に所要の長さにわたり展開して、好ましくは吸着して保持させるようになっている。なお、引き出されるテープが粘着テープであるときは通常、粘着側を上面として引き出し、例えばシートとシートの継ぎ合わせ部分を下面又は１８０°回動して上面より貼着する。
【００１４】
しかして、本考案引出し装置は上記構成において特に展開バー６の上面をテープ引き出し方向に直交する断面で、即ち、幅方向に図２に示す如く中高曲線状に形成して展開バー６上に展開されるテープが蛇行することなく一直線をなして展開されるように形成されている。
【００１５】
図３は図２が中高曲線状であるのに対し、通常のフラットな上面形状の場合であり、これら両者によるテープの展開状態を対比したところ、図４に示す如く中高曲線状上面の場合には図４（ａ）のようにテープＴは展開バー６上で一直線状をなして展開されるのに対し、図４（ｂ）に示すように上面がフラットの場合にはテープＴは展開バー６上面で蛇行して展開がなされ、これより本考案の中高曲線状の展開バーは引き出される途中左右への振れはなく、次工程のシート貼付に支障を生ぜず、好結果を有することが分かった。
【００１６】
以上のように本考案テープ引出し装置は上記の如く展開バー上面を中高曲線状にすることにより正確なテープ引出しが可能であり、高価なブラスチックシートの継ぎ足しに極めて有効であることが分かる。
【符号の説明】
【００１７】
１：無端ベルト
２：巻ロール
３：ガイドロール
４：テープつまみ
５：テープ引出し杆
６：展開バー
７：吸着穴
８：貼付台
【図１】
0003153209.tif 000003
【図２】
0003153209.tif 000004
【図３】
0003153209.tif 000005
【図４】
0003153209.tif 000006